(57)【要約】【課題】  ワタリを有すメガネフレームのフロント部構造であって、フロント部のデザインの自由度を拡大し、又２次加工に幅を持たせることが出来るメガネフレームのフロント部構造の提供。【解決手段】  ワタリ３には連結部６の両側に上ハーフリム部５，５を連続して形成し、ワタリ３の両側にはリムロック片１０，１０を有し、そして上記上ハーフリム部５と対を成して下ハーフリム部４を取着し、下ハーフリム部４の連結部側先端には嵌合片７を形成すると共に、該嵌合片７を上ハーフリム部内面に形成した嵌合溝９に嵌めてロウ付けし、下ハーフリム部外側先端に設けたリムロック片８をワタリ３のリムロック片１０とネジ止めしている。【選択図】    図２
2005345867.tif 000002
【特許請求の範囲】
【請求項１】
所定形状にて両側へ連続して延びるワタリを有すメガネフレームのフロント部構造において、上記ワタリには連結部の両側に上ハーフリム部を形成し、ワタリの両側にはリムロック片を有し、そして上記上ハーフリム部と対を成して下ハーフリム部を取着し、下ハーフリム部の連結部側先端には嵌合片を形成すると共に、該嵌合片を上ハーフリム部内面に形成した嵌合溝に嵌めてロウ付けし、下ハーフリム部外側先端に設けたリムロック片をワタリのリムロック片にネジ止めしたことを特徴とするメガネフレームのフロント部構造。
【請求項２】
所定形状にて両側へ連続して延びるワタリを有すメガネフレームのフロント部構造において、上記ワタリには連結部の両側に下ハーフリム部を形成し、ワタリの両側にはリムロック片を有し、そして上記下ハーフリム部と対を成して上ハーフリム部を取着し、上ハーフリム部の連結部側先端には嵌合片を形成すると共に、該嵌合片を下ハーフリム部内面に形成した嵌合溝に嵌めてロウ付けし、上ハーフリム部外側先端に設けたリムロック片をワタリのリムロック片にネジ止めしたことを特徴とするメガネフレームのフロント部構造。
【請求項３】
上記上ハーフリム部断面形状と下ハーフリム部断面形状を違わせた請求項１、又は請求項２記載のメガネフレームのフロント構造。
【請求項４】
上記ワタリと下ハーフリム部に施す２次加工処理を違わせた請求項１、請求項２、又は請求項３記載のメガネフレームのフロント部構造。
【請求項５】
上記下ハーフリム部を柔軟性のあるワイヤーにて構成した請求項１記載のメガネフレームのフロント部構造。
【請求項６】
上記上ハーフリム部を柔軟性のあるワイヤーにて構成した請求項２記載のメガネフレームのフロント部構造。
【請求項７】
上記ワタリ両先端に設けたリムロック片に軸穴を形成し、及び両下ハーフリム部先端に設けたリムロック片に軸ネジ穴を形成した請求項１、請求項２、請求項３、請求項４、請求項５、又は請求項６記載のメガネフレームのフロント部構造。
【発明の詳細な説明】
【技術分野】
【０００１】
本発明はメガネフレーム、特にフロント部の構造に特徴を有すメガネフレームに関するものである。
【背景技術】
【０００２】
メガネには色々な形態があり、又多種多様なデザイン・装飾が施されている。そして機能面では長時間にわたって着用していても疲れを感じることがないように、チタンなどの材質が使用されて軽くなっている。又、フロント部にリムを備えることなく両レンズを連結部材で直接ネジ止めし、レンズ外側にはヨロイをネジ止め固定した縁なしメガネも多用されている。
【０００３】
図６は一般的なメガネを示しているが、該メガネはフロント部(イ)の両側にツル(ロ)、(ロ)を折畳み出来るように取付けている。そしてフロント部(イ)は両リム(ハ)、(ハ)を連結部材(ニ)にて連結すると共に、両リム(ハ)、(ハ)の外側にはヨロイ(ホ)、(ホ)がロウ付けされ、該ヨロイ(ホ)、(ホ)に上記ツル(ロ)、(ロ)が蝶番(ヘ)、(ヘ)を介して折畳み可能に連結している。そしてリム(ハ)、(ハ)にはレンズ(ト)、(ト)が嵌っている。
【０００４】
上記リム(ハ)はリング状を成しているが、一部にリムロック部を設けて切欠かれ、リム周長を拡大してレンズ(ト)を嵌めることが出来る。リム(ハ)はレンズの外形に合うように成形され、又２次加工としてメッキや塗装が施される。従って、あくまでもフロント部(イ)に組み付けされた状態で２次加工が行われる為に、レンズ(ト)の形状が変わる場合には、リム形状は該レンズに合った形状に成形される。
【０００５】
図７は一般にナイロールフレーム(商標)と称されてハーフリム(チ)を用いたメガネであり、レンズ(ト)を保持する為にハーフリム(チ)の下側半分に水糸等の高張力糸(リ)が使用されている。フロント部(イ)をハーフリム(チ)とすることによりメガネフレームは軽量化され、又視界を広げることが出来る。このメガネは円弧状のハーフリム(チ)の両端に高張力糸(リ)の先端を止着し、ハーフリム(チ)と高張力糸(リ)によってレンズ(ト)が保持される。そして両ハーフリム(チ)、(チ)は連結部材(ニ)にて連結され、ハーフリム外側にはヨロイ(ホ)、(ホ)が取付けられていて、ツル(ロ)はこのヨロイ(ホ)に蝶番を介して折畳み出来るように連結している。
【０００６】
しかし、ハーフリム(チ)と高張力糸(リ)とでレンズ(ト)を保持する場合、該高張力糸(リ)に無理な張力が作用することで破断したり、長期間の疲労で止着部が弱って破断することもある。高張力糸(リ)が破断すれば、保持されているレンズ(ト)は外れ落ちて割れてしまう。
【発明の開示】
【発明が解決しようとする課題】
【０００７】
このように、従来のメガネフレームには上記のごとき問題がある。本発明が解決しようとする課題はこれら問題点であり、リムを上ハーフリム部と下ハーフリム部から成る分割構造とし、フロント部のデザインの自由度を拡大し、又２次加工に幅を持たせることが出来るメガネフレームのフロント部構造を提供する。
【課題を解決するための手段】
【０００８】
本発明に係るメガネフレームのフォント部は、両上ハーフリム部の間に連結部を形成したワタリを有し、上ハーフリム部には下ハーフリム部が組合されてリムを構成している。そして、上ハーフリム部と下ハーフリム部とでレンズを挟んで保持し、この場合、上ハーフリム部と下ハーフリム部とは別部品と成り、その為に、材質はもとより断面形状を変えることも出来る。
【０００９】
そして、下ハーフリム部は上ハーフリム部に取着されるが、滑らかに円弧を成したレンズが嵌るように接続箇所が位置ズレすることなく、又段差が残らないような連結構造と成っている。そこで、下ハーフリム部の連結部側先端には嵌合片を設け、上ハーフリム部の内面に形成した嵌合溝に嵌合片が嵌って固定される。他方のヨロイ部側にはリムロック片が設けられ、上ハーフリム部のリムロック片とネジ止めされる構造を構成している。
【００１０】
そして、下ハーフリム部は一般的に半円弧状の剛体部品であるが、柔軟性のある金属ワイヤーを使用して従来の高張力糸を代用することも可能である。しかし、金属ワイヤーの両先端には嵌合片とリムロック片が連結固定され、該嵌合片を嵌合溝に嵌ってロウ付けされると共にリムロック片は上ハーフリム部のリムロック片にネジ止めされる。
【００１１】
一方、本発明に係るメガネフレームのフロント部は、両下ハーフリム部の間に連結部を形成したワタリを有し、下ハーフリム部には上ハーフリム部を組合わせてリムを構成することも出来る。
【発明の効果】
【００１２】
このように、本発明に係るメガネフレームは両上ハーフリム部と連結部を一体成形したワタリに下ハーフリム部を夫々の箇所に取着してフロント部を構成することが出来る。またメガネフレームは両下ハーフリム部と連結部を一体成形したワタリに上ハーフリム部を夫々の箇所に取着してフロント部を構成することが出来る。従って、リムは上ハーフリム部と下ハーフリム部との組合わせで構成する為に、従来のような１本の金属線材を曲げ成形したリング体に比較してデザイン的に多様なフロント部を構成できる。
【００１３】
例えば、上ハーフリム部と下ハーフリム部の断面形状を違わせることが出来ると共に、下ハーフリム部又は上ハーフリム部としてワイヤーを使用出来る。そして、フロント部にメッキや塗装などの２次加工を施す場合にも、上ハーフリム部と下ハーフリム部とを分離することで異なる２次加工処理を行い得る。
【００１４】
一方、下ハーフリム部は上ハーフリム部と組合されてリムを構成するが、連結部側には下ハーフリム部先端に設けた嵌合片が上ハーフリム部に形成した嵌合溝に嵌って固定することで位置決めされ、しかも接続部に段差を残すことなく滑らかな内周曲面を備えたリムとして構成することが出来る。レンズは下ハーフリム部のリムロック片を固定するネジを弛めることで簡単にレンズの着脱が可能となる。勿論、ワタリに下ハーフリム部を形成する場合も同じである。
【実施例】
【００１５】
図１は本発明に係るメガネフレームを示している実施例であり、同図の１はフロント部、２はツルを表している。フロント部１は１本のワタリ３と２本の下ハーフリム部４，４を有し、ワタリ３は両上ハーフリム部５，５及び連結部６を有し、これら各部は１本のワタリ３として構成されている。
【００１６】
レンズが嵌るようにリング状のリムを形成する為に、下ハーフリム部４，４は上ハーフリム部５，５と組み合わされて外観上は従来のフロント部と同じような形態となる。ところで、下ハーフリム部４は上ハーフリム部５と対を成して取着されてリング状リムを形成しているが、下ハーフリム部４が上ハーフリム部５に対して所定の位置に取着され得るように位置決めされている。
【００１７】
図２は上ハーフリム部５と下ハーフリム部４とが分離している場合(下ハーフリム部が上ハーフリム部と組合される前)を示している。上ハーフリム部５はワタリ３の一部として線材を所定形状に曲げ成形され、同じく下ハーフリム部４も線材を曲げ成形されている。下ハーフリム部４の連結部側先端には嵌合片７を有し、外側先端にはリムロック片８を設けている。又上ハーフリム部５の連結部側には嵌合溝９が形成され、外側にはリムロック１０を設けている。
【００１８】
そこで、下ハーフリム部４の先端嵌合片７は上ハーフリム部５に形成した嵌合溝９に嵌めてロウ付けされる。先端嵌合片７は下ハーフリム部４を湾曲して形成し、嵌合片７が嵌合溝９に嵌ることで、該嵌合片７の内面１１は上ハーフリム部５の内面１２と段差を生じることなく連続する。
【００１９】
上ハーフリム部５と下ハーフリム部４とで構成されるリムにはレンズが嵌められてリムロック１０とリムロック８はネジ止めされる。下ハーブリム部４のリムロック片８に設けた穴１３にネジ１４を挿通し、上ハーフリム部５のリムロック片１０に設けているネジ穴１５に螺合することで、両リムロック片８，１０は固定されて、リムに嵌ったレンズは外れることなく保持される。
【００２０】
そして、リムロック片１０の先端には軸穴１６が貫通し、リムロック片８の先端には軸ネジ穴１７が設けられ、軸ネジ１８は軸穴１６を挿通すると共に軸ネジ穴１７に螺合することでツル２を折畳み可能に取付けることが出来る。又下ハーフリム部４及び上ハーフリム部５の内面１１，１２には溝１９が沿設され、リムに嵌るレンズ外周縁はこの溝１９に嵌入して取付けられる。
【００２１】
図３は図１のＡ−Ａ断面拡大図である。このように上ハーフリム部５に形成した嵌合溝９には下ハーフリム部４の先端嵌合片７が嵌ると共に、ロウ付けにて固定される。そして、嵌合片７の内面１１に形成される溝１９は上ハーフリム部５の内面１２に設けている溝１９と連続するようになり、レンズは安定してリムに嵌ることが出来る。
【００２２】
図４は下ハーフリム部４の他の具体例であり、嵌入片２０はピン形状と成っている。この嵌入片２０は上ハーフリム部５に設けた嵌合穴に嵌って位置決めされ、しかも外れないようにロウ付けされる。
【００２３】
ところで、本発明のメガネフレームでは、フロント部１が上ハーフリム部５，５及び連結部６を有すワタリ３と両下ハーフリム部４，４とが組合されて構成される為に、ワタリ３と下ハーフリム４，４とは別々に製作されると共に、２次加工が行われる。例えば、ワタリ３の表面にサンドブラスト仕上げを行い、下ハーフリム部４，４を鏡面仕上げを施すことが可能である。
【００２４】
又、ワタリ３と下ハーフリム部４，４とが異なる色彩のメッキ処理を行うことも出来、材質を違わせることが可能である。又、別部品である為に上ハーフリム部５と下ハーフリム部４とは異なる断面形状にすることも出来る。そして、両リムを連結部材にてロウ付けした構造ではなく、ワタリに下ハーフリム部４，４を取着してフロント部が構成される為に、該フロント部１の強度は高く成り、連結部でロウ付けが剥がれて分離することはない。
【００２５】
図５は本発明に係るメガネフレームを示している他の実施例であり、フロント部１は１本のワタリ２１と２本の上ハーフリム部５，５を有し、ワタリ２１は両下ハーフリム部４，４及び連結部６を有し、これら各部は１本のワタリ２１として構成されている。
【００２６】
レンズが嵌るようにリング状のリムを形成する為に、下ハーフリム部４，４は上ハーフリム部５，５と組み合わされて外観上は従来のフロント部と同じような形態となる。ところで、下ハーフリム部４は上ハーフリム部５と対を成して取着されてリング状リムを形成しているが、下ハーフリム部４が上ハーフリム部５に対して所定の位置に取着され得るように位置決めされている。
【図面の簡単な説明】
【００２７】
【図１】本発明に係るメガネフレーム。
【図２】上ハーフリム部と下ハーフリム部が分離した場合。
【図３】図１のＡ−Ａ断面拡大図。
【図４】下ハーフリム部の別形態。
【図５】本発明に係るメガネフレーム。
【図６】従来のメガネフレーム。
【図７】従来のメガネフレーム。
【符号の説明】
【００２８】
１  フロント部
２  ツル
３  ワタリ
４  下ハーフリム部
５  上ハーフリム部
６  連結部
７  嵌合片
８  リムロック片
９  嵌合溝
10  リムロック片
11  内面
12  内面
13  穴
14  ネジ
15  ネジ穴
16  軸穴
17  軸ネジ穴
18  軸ネジ
19  溝
20  嵌入片
21  ワタリ
【図１】
2005345867.tif 000003
【図２】
2005345867.tif 000004
【図３】
2005345867.tif 000005
【図４】
2005345867.tif 000006
【図５】
2005345867.tif 000007
【図６】
2005345867.tif 000008
【図７】
2005345867.tif 000009